(57)【要約】【課題】  簡単、低コスト構造でモータの運転異常を検知できるモータの運転異常検知装置を提供する。【解決手段】  電源入力線４から電力供給を受けて駆動するモータ１の運転異常を検知する装置であって、モータ１の運転異常を検出する異常検出部１０と、異常検出部１０からの信号を基にして電源入力線４に流れるモータ駆動用電流に加えて該電源入力線４に異常検知用電流を発生させる検知用電流発生部２０と、電源入力線４の異常検知用電流を検出する検知用電流検出部３０と、を含むモータの運転異常検知装置から構成される。電源入力線を利用して運転異常の検出信号を送ることができるので、簡単な配線構造ですみ、低労力、低コストで施工できる。【選択図】図１
2006223028.tif 000002
【特許請求の範囲】
【請求項１】
電源入力線から電力供給を受けて駆動するモータの運転異常を検知する装置であって、
モータの運転異常を検出する異常検出部と、
異常検出部からの信号を基にして電源入力線に流れるモータ駆動用電流に加えて該電源入力線に異常検知用電流を発生させる検知用電流発生部と、
電源入力線の異常検知用電流を検出する検知用電流検出部と、を含むことを特徴とするモータの運転異常検知装置。
【請求項２】
異常検出部は、モータの運転異常により生じる温度変化を検出する温度感知器を含むことを特徴とする請求項１記載のモータの運転異常検知装置。
【請求項３】
異常検知用電流は、パルス状の電流であることを特徴とする請求項１または２記載のモータの運転異常検知装置。
【請求項４】
検知用電流発生部は、異常検出部からの信号に基づいてモータの運転異常を検出した際にモータと並列になるように抵抗が電源入力線に接続される検知用電流発生回路を含み、該検知用電流発生回路を開閉させて異常検知用電流を発生させることを特徴とする請求項１ないし３のいずれかに記載のモータの運転異常検知装置。
【請求項５】
検知用電流発生部は、異常検出部からの検出信号とモータの正常運転に対応した基準値とを比較判定して、検知用電流を発生させることを特徴とする請求項１ないし４のいずれかに記載のモータの運転異常検知装置。
【請求項６】
検知用電流検出部は、電源入力線に流れる電流とモータの正常運転に対応した基準値とを比較判定して、電源側に設けられた表示部へ信号を出力することを特徴とする請求項１ないし５のいずれかに記載のモータの運転異常検知装置。
【請求項７】
請求項１ないし６のいずれかに記載のモータの運転異常検知装置を備えた換気装置。
【発明の詳細な説明】
【技術分野】
【０００１】
本発明は、電源入力線から電力供給を受けて駆動するモータの運転異常を検知するモータの運転異常検知装置及び換気装置に関する。
【背景技術】
【０００２】
建物の床下内部空間の害虫やかび等の発生、繁殖等を抑制し、建材の腐食を防止するために、床下内部空間に複数の換気扇を設置し、強制的に湿気を排出させる場合がある。床下換気扇は、例えば、室内側のコントローラと電源線で電気的に接続されており、コントローラのタイマで換気扇の運転時間の設定を行なえるようになっている。しかしながら、換気扇の運転中にファンにごみや虫等が挟まって該ファンの回転が停止してしまい、換気機能が低下する場合があり、このような場合には室内で運転異常を確認する方法がなかった。しかも、換気扇は床下に配置されているため、利用者は換気扇が正常に動作しているかどうかを簡単に確認することが困難であり、いちいち床下にもぐって点検する必要があった。換気扇のモータの運転状態を検出して室内で確認できることが望ましい。
【０００３】
モータの運転状態を検出するセンサ装置としては、例えば、特許文献１のようにモータの回転数を検出するものが知られている。図６に示すように、従来のモータの回転センサ装置１００は、電源線１０２に接続されたファンモータ１０６のモータ回転軸１０８に取り付けられた磁石１１０と、磁石の回転磁束変化を検出するホール素子１１２と、を含み、モータの回転によって生じるホール素子から信号線１０４を介して所定の運転パルスを得ることができる。モータが停止するとホール素子からの信号が停止して、モータの運転状態を確認できるものであった。なお、１１４は増幅器、１１６は増幅器用直流電源である。
【特許文献１】特開２００２−１９６０１２号公報
【発明の開示】
【発明が解決しようとする課題】
【０００４】
しかしながら、図６に示すような従来の回転センサの構成では、例えば、信号線を室内に延長する場合には、床下の各換気扇の設置位置から室内側のコントローラまで電源線１０２のほかに信号線１０４を敷設しなければならないので、作業が煩雑であり、特に、換気扇の数が増加するごとに配線が込み入って複雑化し、施工コストが高かった。さらに、上記のような従来の回転センサ装置では、換気扇ごとにホール素子が取り付けられるがモータ回転軸に検出用の磁石を取り付けた特殊な構成を必要とし、装置全体が高くつくという問題があった。
【０００５】
本発明は、上記従来の課題に鑑みてなされたものであり、その目的は、簡単、低コスト構造でモータの運転異常を検知できるモータの運転異常検知装置及び換気装置を提供することである。
【課題を解決するための手段】
【０００６】
上記課題を解決するために本発明は、電源入力線４から電力供給を受けて駆動するモータ１の運転異常を検知する装置であって、モータ１の運転異常を検出する異常検出部１０と、異常検出部１０からの信号を基にして電源入力線４に流れるモータ駆動用電流ＩＬに加えて該電源入力線４に異常検知用電流ＩＰを発生させる検知用電流発生部２０と、電源入力線４の異常検知用電流ＩＰを検出する検知用電流検出部３０と、を含むことを特徴とするモータの運転異常検知装置から構成される。運転異常検知装置は、直流モータ、交流モータ等種々のモータに適用できる。さらに、運転異常を検知するモータの数は、１個でも２個以上の複数個でも何個の場合でも適用できる。異常検知用電流の大きさは、モータや電源入線の設置条件等で任意に設定される。例えば、多少の電源の異常などで生じる電源入力線の電流値の変化幅よりもある程度大きく設定すると、誤検出を防止してモータの運転異常を確実に検出できる。例えば、異常検出部と検知用電流発生部とを１つのユニット構成としてモータに近接して配置させることとしてもと良い。また、検知用電流検出部はモータのオンオフ制御するコントローラ等に一体的に組み付けることとしてもよい。
【０００７】
また、異常検出部１０は、モータの運転異常により生じる温度変化を検出する温度感知器１２を含むこととしてもよい。温度感知器は、正の温度特性、負の温度特性若しくは急変特性等のサーミスタ、熱電対センサ、バイメタル、白金測温抵抗体、その他の接触式又は非接触式の種々の温度センサでもよい。また、例えば、モータに取り付けられて該モータの運転異常時にモータへの電源供給を遮断する保護回路や、サーマルプロテクタ等の保護装置等に利用される温度感知器と兼用あるいは組み合わせた構成としてもよい。
【０００８】
また、異常検知用電流は、パルス状の電流であることとしてもよい。異常検知できる構成としては、異常検知電流は異常検知した後に電源入力線に流し続けてもよいが、パルス状の電流にすることにより、不必要な電力消費や、電源入力線や種々の回路での熱の発生を良好に防止できる。異常検知用電流は、１回だけでもよく、複数回繰り返して発生するように設定してもよい。
【０００９】
また、検知用電流発生部は、異常検出部からの信号に基づいてモータの運転異常を検出した際にモータと並列になるように抵抗が電源入力線に接続される検知用電流発生回路を含み、該検知用電流発生回路を開閉させて異常検知用電流を発生させることとしてもよい。検知用電流発生回路は、該回路を開閉させるスイッチ手段に接続されるとよい。スイッチ手段としては、サイリスタ、リードスイッチ、リレースイッチ、その他種々のスイッチ構成でもよい。例えば、モータの温度上昇を温度センサが検出して回路を閉じるような構成でもよい。また、異常検出部がスイッチ手段を兼ねるような構成としてもよい。
【００１０】
また、検知用電流発生部は、異常検出部からの検出信号とモータの正常運転に対応した基準値とを比較判定して、検知用電流を発生させることとしてもよい。異常検出部からの検出信号と基準値とを比較する手段としては、種々の比較回路やセンサ等任意の構成でもよい。
【００１１】
また、検知用電流検出部は、電源入力線に流れる電流とモータの正常運転に対応した基準値とを比較判定して、電源側に設けられた表示部へ信号を出力することとしてもよい。電流と基準値とを比較する手段としては、種々の比較回路やセンサ等任意の構成でもよい。表示部は、例えば、液晶パネル等への文字、記号、図形の表示、ＬＥＤランプ表示、その他任意の視認できるものでもよい。また、モータの正常運転時又は運転異常を検知した場合にのみ表示させたりしてもよい。また、正常運転時と運転異常を検知した場合とでそれぞれ表示内容を変えて表示するようにしてもよい。
【００１２】
さらに、本発明は、モータの運転異常検知装置を備えた換気装置から構成される。換気装置は、例えば、プロペラファン、シロッコファン等その他の換気用ファン装置を含むものでもよい。
【発明の効果】
【００１３】
本発明のモータの運転異常検知装置によれば、電源入力線から電力供給を受けて駆動するモータの運転異常を検知する装置であって、モータの運転異常を検出する異常検出部と、異常検出部からの信号を基にして電源入力線に流れるモータ駆動用電流に加えて該電源入力線に異常検知用電流を発生させる検知用電流発生部と、電源入力線の異常検知用電流を検出する検知用電流検出部と、を含む構成であるから、電源入力線を利用して運転異常の検出信号を送ることができるので、電源入力線を敷設するだけの簡単な配線構造ですみ、低コスト、低労力で施工できる。特に、モータの設置場所と検知用電流検出部とが離れている場合に有効であり、利便性が高い。また、電源入力線に異常検知用電流を発生させるので、モータの運転異常の際に生じるわずかな電流変化を検出するものよりも確実に検知することができる。また、モータの台数が増えても配線構成の複雑化が少ない。
【００１４】
また、異常検出部は、モータの運転異常により生じる温度変化を検出する温度感知器を含む構成とすることにより、例えば、安価な温度センサ等を用いて異常検出装置を設計でき、異常検出装置を簡単構造、低コストに製造できる。さらに、異常検出部の誤検知が少なくモータの運転異常を確実に検知できる。また、既設のモータに温度感知器を後付けして簡単に設置することもできる。
【００１５】
また、異常検知用電流は、パルス状の電流である構成とすることにより、異常検知電流が流れた際の電源入力線や検知用電流発生部内の回路等での熱の発生を少なくし、しかも消費電力も少なくてすむ。
【００１６】
また、検知用電流発生部は、異常検出部からの信号に基づいてモータの運転異常を検出した際にモータと並列になるように抵抗が電源入力線に接続される検知用電流発生回路を含み、該検知用電流発生回路を開閉させて異常検知用電流を発生させる構成とすることにより、簡単、低コスト構造で検知用電流発生部を具体的に実現できる。また、運転異常を起こしたモータ側やそれ以外に電源入力線に接続されている他のモータ側には異常検知用電流が流れず、各モータに悪影響を与えるのを防止できる。
【００１７】
また、検知用電流発生部は、異常検出部からの検出信号とモータの正常運転に対応した基準値とを比較判定して、検知用電流を発生させる構成とすることにより、異常検出部からの信号に応じて異常検出の際に適時に検知用電流を発生させることができる。
【００１８】
また、検知用電流検出部は、電源入力線に流れる電流とモータの正常運転に対応した基準値とを比較判定して、電源側に設けられた表示部へ信号を出力する構成とすることにより、電源入力線に発生する異常検知用電流を確実に検出して、表示部で容易に確認できる。さらに、モータを複数個設置した場合でも、数に対応して確実にモータの運転異常を検出することができる。
【００１９】
さらに、本発明は、上記のモータの運転異常検知装置を備えた換気装置から構成されるから、例えば、床下、天井裏等に換気扇を配置した場合でも室内側で簡単にファン用モータの運転異常を確認できる。さらに、床下や天井裏から室内までの配線構成も簡単であり、省力、低コストで施工でき、有効に適用できる。
【発明を実施するための最良の形態】
【００２０】
以下、添付図面を参照しつつ本発明のモータの運転異常検知装置及び換気装置の実施の形態について説明する。本発明のモータの運転異常検知装置は、例えば、床下、室内、天井裏の換気装置のファンモータその他のファン装置等のモータ、その他種々の機器類のモータの運転異常を検知する検知装置である。
【００２１】
図１ないし図５は、本発明のモータの運転異常検知装置及び換気装置の実施形態を示している。本実施形態では、モータの運転異常検知装置は、例えば、床下に配置される換気扇２のファンモータの運転異常を検知する場合について説明する。図１は、本発明のモータの運転異常検知装置及び換気装置の実施形態のブロック説明図である。図２は、本実施形態に係るモータの運転異常検知装置及び換気装置の回路説明図である。換気扇２のファン３はモータ１に取り付けられており、モータ１は電源入力線４と接続されている。例えば、ファン及びモータ１は床下に配置され、電源入力線４は床下Ｕに敷設されつつ室内側に延長され、室内のコントローラＣを介して１００Ｖ電源に接続されている。本実施形態では、例えば、約０．３Ａの電流が消費されるモータを１０台並列に配置されている態様としており、モータの正常運転時には約３．０Ａの電流が流れている（図４参照）。図１、図２に示すように、本実施形態において、モータの運転異常装置は、異常検出部１０と、検知用電流発生部２０と、検知用電流検出部３０と、を含む。
【００２２】
異常検出部１０は、モータの運転異常を直接的（または間接的）に検出する手段である。異常検出部１０は、モータの運転異常に対応して検知用電流発生部２０に信号を送る。本実施形態では、異常検出部１０は、モータの運転異常により生じる温度変化を検出する温度感知器１２を含む。図３は、モータの駆動時間と温度との関係を説明したグラフを示している。図３に示すように、モータは運転初期において徐々に温度が上昇し（Ａ−Ｂ）、例えば７０℃といったある一定温度で安定的な運転状態となる（Ｂ−Ｃ）。例えば、運転中にモータに接続されているファンにごみや虫等の異物が挟まると、モータに電流が流れていても回転軸が動かないといった運転異常となり（Ｃ点）、モータの温度が上昇していく（Ｃ−Ｄ）。本実施形態では、このモータの運転異常の際の温度上昇を感知できる温度感知器１２を利用している。本実施形態では、温度感知器１２は、例えば、温度が上昇するにつれ電気抵抗が減少する負の温度特性をもったサーミスタからなる。温度感知器１２は、モータ本体にねじ等の固定手段を介して直接に取り付けられる。温度感知器１２はモータの運転中には常時、検知用電流発生部２０に信号を出力するようになっている。モータの運転異常が起こった場合には、モータの温度上昇によってサーミスタの温度特性により該サーミスタの抵抗値が減少することで、出力信号としての電流値が大きくなり、異常検出信号として検知用電流発生部２０に出力される。
【００２３】
検知用電流発生部２０は、異常検出部１０からの信号を基にして、図４に示すように、電源入力線４に流れるモータ駆動用電流ＩＬに加えて該電源入力線に異常検知用電流ＩＰを発生させる。すなわち、検知用電流発生部２０は、電源入力線４に流れる電流に比較的大きな変化を強制的に生じさせる電流変化発生手段である。なお、図４は説明のために簡単に示したグラフである。例えば、モータの運転異常の際の電流の若干の変化等は無視している。図１、図２に示すように、本実施形態では、検知用電流発生部２０は、異常検出部１０からの信号に基づいてモータの運転異常を検出した際に、回路をスイッチング等により開閉して異常検知用電流を発生させる検知用電流発生回路２２を含む。本実施形態では、異常検出部１０からの検出信号は増幅回路２６を介して比較回路２４に入力され、該比較回路２４でモータの正常運転に対応した基準値と比較し、その結果に対応して検知用電流発生回路２２により異常検知用電流ＩＰを発生するようになっている。なお、図２において、直流電源装置２９は、電源入力線から電源供給を受けて比較回路２４、増幅回路２６等に駆動用電源を供給する。
【００２４】
本実施形態では、比較回路２４は、異常検出部１０からの信号と、基準値入力回路２８から入力される基準値と、の各電流値（または電圧値）の大小を比較する回路である。比較回路２４は、異常検出部からの信号が基準値を上回る場合に異常を検知したと判定して検知用電流発生回路２２へ信号を送る。本実施形態では、基準値は、例えば、モータの正常運転時の温度を７０℃とした場合に、ある程度余裕をもたせてモータの温度が８０℃相当の信号値に設定されている。モータの温度は正常運転時でも、例えば、外部から床下に吹き込む風や床下等の設置場所の温度等の外部からの影響により多少変化するが、基準値を正常運転時の温度より少し高めに設定することにより、それらの変化を運転異常と誤検知しないようにするとよい。例えば、基準値は、温度感知器１２であるサーミスタが温度８０℃になった際の抵抗値に対応して設定されている。
【００２５】
本実施形態では、検知用電流発生回路２２は、異常検出部１０からの信号に基づいてモータの運転異常を検出した際にモータと並列になるように抵抗２２２を電源入力線４に接続して異常検知用電流を発生するようになっている。例えば、抵抗２２２が１００Ωとすると電源が１００Ｖであるから該回路２２には１．０Ａの電流ＩＰが流れることになり、その結果電源入力線を流れる電流Ｉは３．０Ａから４．０Ａに増大される（図４参照）。例えば、異常検知用電流の大きさをある程度高くするとモータの運転異常の際に生じる若干の電流の変化よりも明確な（大幅な）変化が生じるので、後述する検知用電流検出部３０での誤検出を少なくし、モータの運転異常の検知を確実に行なえる。さらに、本実施形態では、検知用電流発生回路２２は、比較回路２４からの信号に基づいて検知用電流発生回路を開閉するスイッチ手段２２４を含む。本実施形態では、スイッチ手段２２４は、例えば、サイリスタで設けられており、アノード−カソードが検知用電流発生回路に接続され、サイリスタ（２２４）のゲートが比較回路２４からの出力線に接続されている。比較回路２４から信号がゲートに入力されると、検知用電流発生回路２２を導通して異常検知用電流が発生する。本実施形態では、異常検知用電流は、モータ駆動用電流に対して突発的に発生されるようなパルス状の電流となるように設けられている。これにより、異常検知した際の電源消費量が少なくてすむとともに、電源入力線や検知用電流発生回路に余計な熱が発生しない。本実施形態では、例えば、運転異常を検出した際の比較回路２４からの信号がサイリスタのゲートに５０ｍｓｅｃ間入力されるように設けられており、サイリスタはその信号入力時間に対応して５０ｍｓｅｃ間だけサイリスタのアノード−カソード間を導通するように設けられて、パルス状の電流を発生させる。なお、検知用電流発生回路のスイッチ手段は、上記のような構成に限らず異常検知部からの出力信号に基づいて回路を開閉する構成であればよく、例えば、電磁スイッチ、リレー制御その他任意のスイッチング構成でもよい。また、検知用電流発生部２０は、例えば、検知用電流発生回路、比較回路、増幅器、直流電源装置等の種々回路を組み込んだユニット構成としてモータに近接して電源入力線４に接続するようにしてもよい。
【００２６】
検知用電流検出部３０は、電源入力線４の異常検知用電流の発生を検出する。すなわち、検知用電流発生部２０によって発生された例えば、図４に示すような異常検知用電流より生じる電源入力線の電流変化を検出する電流変化検出手段である。検知用電流検出部３０は各換気扇のモータへ並列状に分岐接続されている位置よりも電源側の任意の位置に配置され、本実施形態では、例えば室内のコントローラ内に組み込まれて（または近接配置されて）いる。検知用電流検出部３０は、異常検知用電流を検出した際に、例えば室内のコントローラに設けられる表示部４０に信号を送るようになっている。表示部４０では、検知用電流検出部３０から信号を受けると、例えば、コントローラの液晶パネル等に例えば、「点検」等の文字や記号、図形等の表示を行なわせる。
【００２７】
本実施形態において、検知用電流検出部３０は、電源入力線の電流の変化を検出する電流検出装置３２を含む。本実施形態では、電流検出装置３２は、例えば、電源入力線の電流変化によって生じる該電源入力線回りの磁束変化を検出するホール素子を有する電流計からなる。本実施形態では、電源検出装置は、モータの運転中には常時その電流を監視しており、出力信号を増幅回路３６を介して比較回路３４に入力している。本実施形態では、電源入力線４に流れる電流Ｉとモータの正常運転に対応した基準値との大小を比較回路３４によって比較し、その結果に応じて表示部４０に信号を出力するようになっている。本実施形態では、基準値は、基準値入力回路２８から比較回路３４に入力され、例えば、３．５Ａ程度に設定されており、モータ１０台分の駆動電流となる３．０Ａよりやや余裕をもたせた値となっている。比較回路３４は、電流検知装置３２からの信号値と基準値とを比較して、電流検知装置３２からの信号が基準値よりも大となれば、異常検知用電流が発生したと判定して、表示部４０に信号を送る。なお、本実施形態では、比較回路３４は、例えば、異常検知用電流の検出後に連続的に表示部へ信号を出力しつづけて表示部での表示が続くようになっている。なお、電流検知装置は、ホール素子に限らず、種々の電流計でもよい。なお、直流電源装置３９は、電源入力線から電源供給を受けて比較回路３４、増幅回路３６等に駆動用電源を供給する。
【００２８】
次に、図５をも参照しつつ、本実施形態に係るモータの運転異常検出装置の作用について説明する。図５は、本実施形態に係るモータの運転異常検出装置の概略の動作フローチャートを示している。本実施形態では、例えば、床下Ｕに１０個の換気扇を取り付けてそれぞれの換気扇のモータの運転異常を室内側で検出する場合について説明する。例えば、室内側のコントローラＣでスイッチを入れて電源入力線４に電流を流し、モータ１を運転させる。モータの運転中では電源入力線４を流れる電流を検知用電流検出部３０の電流検出装置３２で検出する（Ｓ１）とともに、温度感知器１２によってモータの温度を検知する（Ｓ２）。換気扇すなわちモータの駆動中に、例えば、任意の換気扇のファンにごみや虫等の異物が挟まる等して、モータに電流が流れつつもその回転軸が固まるような運転異常が起こると、図３に示すようにモータの温度が徐々に上昇してくる。この温度上昇をモータに取り付けられた温度感知器が感知して検出用発生回路に信号を送る。検出用発生回路では、比較回路に入力される温度感知器からの信号が、例えば８０℃に相当する基準値よりも高くなった場合に、比較回路で運転異常が発生したと判定され、検知用電流発生回路２２のスイッチ手段２２４に回路導通用電流を、例えば、５０ｍｓｅｃ間入力する。検知用電流発生回路２２では、比較回路からの信号に対応して５０ｍｓｅｃ間程度導通状態となり、１００Ωの抵抗２２２がモータ１と並列になるように電源入力線に接続されて、例えば１Ａの電流が発生する（Ｓ４）。図４に示すように、電源入力線４には、モータ駆動電流ＩＬに加えて、異常検知用電流ＩＰとして１Ａの電流が５０ｍｓｅｃ間発生する。検知用電流検出部３０の比較回路３４では、異常検知用電流の発生に対応して電流検出装置３２からの信号値が基準値よりも大きくなる（Ｓ５）。そして検知用電流検出部は、異常検知用電流を検出したとして、コントローラの表示部４０に表示用信号を送る。表示部４０では、例えば液晶パネルに「点検」等の文字や記号等の表示をして換気扇のモータに異常が発生しているのを知らせる（Ｓ６）。このようにして、床下に配置された換気扇のモータの運転異常を室内側で簡便かつ確実に確認できる。さらに、電源入力線を利用して床下に配置されているモータの運転異常の信号を送ることができるので、例えば、床下から室内までの配線構成が簡単になり、施工が簡単、低コストに行なえる。また、換気扇の設置する台数が増加しても追加換気扇を電源入力線に並列的に追加するだけでよく、設計が簡単である。
【００２９】
以上説明した本発明のモータの運転異常検知装置は、上記した実施形態のみの構成に限定されるものではなく、特許請求の範囲に記載した本発明の本質を逸脱しない範囲において、任意の改変を行ってもよい。
【産業上の利用可能性】
【００３０】
本発明のモータの運転異常検知装置は、例えば、住宅等の建築物の床下、天井裏、室内等に設置される換気扇のモータ、その他のファン装置あるいはその他の機器類のモータの運転異常を検出するのに適用される。
【図面の簡単な説明】
【００３１】
【図１】本発明の実施形態に係るモータの運転異常検知装置のブロック説明図である。
【図２】図１のモータの運転異常検知装置の概略回路構成図である。
【図３】モータの運転時間とモータの温度との関係を示すグラフである。
【図４】モータの運転時間と電源入力線に流れる電流との関係を簡単にして示したグラフである。
【図５】本実施形態に係るモータの運転異常検知装置の作用を示す概略フローチャートである。
【図６】従来のモータの運転異常を検知する構成の説明図である。
【符号の説明】
【００３２】
１  モータ
４  電源入力線
１０  異常検出部
１２  温度感知器
２０  検知用電流発生部
２２  検知用電流発生回路
３０  検知用電流検出部
４０  表示部
【図１】
2006223028.tif 000003
【図２】
2006223028.tif 000004
【図３】
2006223028.tif 000005
【図４】
2006223028.tif 000006
【図５】
2006223028.tif 000007
【図６】
2006223028.tif 000008